(57)【要約】      （修正有）【課題】タブレットＰＣを設置するフロアスタンドで、インチサイズや形状の異なる多様なメーカーのタブレットＰＣを設置固定し、所望の高さや回転及び傾斜角度の可変が自在にできデザイン的にも優れたタブレットＰＣ用フロアスタンドを提供する。【解決手段】裏面へ移動用キャスター２を取付けた台座ベース部１盤面センター後方位置にスライドナットを入れ込んだアルミフレーム支柱３を立設固定し、アルミフレーム支柱３上端に回転傾斜金具６を外設接続させたスライド支柱カバー５を外嵌し、上下左右を自在に伸縮する挟持アーム１０でタブレットＰＣを保持固定させたホルダーケース７を回転傾斜金具６に固着させる構造でタブレットＰＣ用フロアスタンドを構成している。【選択図】図１
0003196455.tif 000002
【実用新案登録請求の範囲】
【請求項１】
裏面へ移動用キャスターを取付けた台座ベース部盤面にアルミフレーム支柱を立設固定し、該アルミフレーム支柱上端に回転傾斜金具を外設接続させたスライド支柱カバーを外嵌し、上下左右を自在に伸縮する挟持アームでタブレットＰＣを保持固定させたホルダーケースを前記回転傾斜金具に固着させることを構造としたタブレットＰＣ用フロアスタンド。
【考案の詳細な説明】
【技術分野】
【０００１】  本考案は、商業施設や展示会又は教育機関などでタブレットＰＣを設置しデジタルサイネージや受付案内システム、学習ツール等として使用するフロアスタンドに関する。
【背景技術】
【０００２】  近年急速な社会の情報化の発展に伴い、学校のＩＣＴ化やビジネスを繋ぐコミュニケーションツールとしてタブレットＰＣやタブレット端末が利用されており、一般的にこれらを設置保持する為のフロアスタンドの構造は、台座ベース部にパイプフレームを立設固定させ付設金具でタブレットＰＣ等をパイプフレーム上部に接続固定させる方法が用いられている。【０００３】  例えば非特許文献１では、マイクスタンドのように円形の台座ベースに伸縮自在のパイプ支柱を接続固定しホルダーでタブレットＰＣを挟み込みパイプ支柱先端の受金具に取付ける構造を掲載している。
【先行技術文献】
【非特許文献】
【０００４】
【非特許文献１】「サンワサプライ  総合カタログ２０１４  ＶＯＬ５３」，サンワサプライ株式会社，Ｐ．１６４
【０００５】  しかしながら、この非特許文献１のフロアスタンドは高さ調整ができデザイン的にもシンプルでスマートであるが、タブレットＰＣを挟み込むホルダーの許容寸法範囲が狭く、タブレットＰＣのメーカーや対応機種、インチサイズ等が限定されてしまい汎用性に欠ける。その為各製造メーカーもそれぞれのタブレットＰＣに合わせた多種のフロアスタンドを提供しなければならず生産効率が悪い。又、実際のユーザーにおいてタブレットＰＣの買換えをしようとすると従来のホルダーが使用できず、新しいフロアスタンドも購入しなくてはならなくなり経済的に負担が大きくなる。さらに、タブレットＰＣへの電源供給等のケーブル配線処理が外に出てしまう為外観の見栄えがあまりよくない。
【考案の概要】
【考案が解決しようとする課題】
【０００６】  本考案は上述した問題点を勘案し、インチサイズや形状の異なる多様なメーカーのタブレットＰＣを設置固定し、所望の高さや回転及び傾斜角度の可変が自在でデザイン的にも優れたタブレットＰＣ用フロアスタンドを提供する。
【課題を解決するための手段】
【０００７】  本考案は、裏面へ移動用キャスターを取付けた台座ベース部盤面センター後方位置にスライドナットを入れ込んだアルミフレーム支柱を立設固定し、該アルミフレーム支柱上端に回転傾斜金具を外設接続させたスライド支柱カバー５を外嵌し、上下左右を自在に伸縮する挟持アームでタブレットＰＣを保持固定させたホルダーケースを前記回転傾斜金具６に固着させる構造でタブレットＰＣ用フロアスタンドを構成している。
【考案の効果】
【０００８】  本考案の効果として、タブレットＰＣを挟持するアームを上下左右自在に伸縮させるホルダーケースとする事により、インチサイズの異なった多様な各メーカーのタブレットＰＣを保持固定する事ができ、又回転傾斜金具とスライド支柱カバーで最適なビューポジションの設置位置が選択でき、支柱をアルミフレームの構造体を使用することによって配線等を支柱の溝内に収めモールで隠し見栄えをよくすることができる。
【図面の簡単な説明】
【０００９】
【図１】本考案のタブレットＰＣ用フロアスタンドの正面斜視図である。
【図２】本考案のホルダーケースの構造を示す背面斜視図である。
【図３】本考案の回転傾斜金具の構造と示す正面斜視図である。
【図４】本考案のスライド支柱カバーの構造を示す背面斜視図である。
【考案を実施するための形態】
【００１０】  以下、本考案の実施の形態を図に基づいて説明する。
【実施例】
【００１１】  図１は本考案のタブレットＰＣ用フロアスタンドの正面斜視図である。本考案は、裏面へ移動用キャスター２を取付けた台座ベース部１盤面センター後方位置にスライドナット２０を入れ込んだアルミフレーム支柱３を立設固定し、該アルミフレーム支柱３上端に回転傾斜金具６を外設接続させたスライド支柱カバー５を外嵌し、上下左右を自在に伸縮する挟持アーム１０でタブレットＰＣを保持固定させたホルダーケース７を前記回転傾斜金具６に固着させた形態を示している。この形態にすることにより、最適な設置ポジションの選択と様々なサイズのタブレットＰＣをフロアスタンドに設置固定させることができ、デザイン的にもスマートである。【００１２】  台座ベース部１はタブレットＰＣがフロアスタンドに設置された時、全体の質量重心が不安定にならない様にある程度の板厚のある材料を用いて質量を重くするとよい。また、前記台座ベース部１裏面には、移動用のキャスター２だけでなく固定用のアジャスターを設置できるように共通の取付け構造とし使用用途に合わせた選択ができる様にする。【００１３】  アルミフレーム支柱３は、長手方向に沿って内部に中空孔と外側２面にスライドナット２０固定用の溝を形成したアルミ押出材を使用し端面には接続固定用のタップ加工を施すことによって台座ベース部１へしっかりと固定させることができる。また、該アルミフレーム支柱３後側の溝にスライドナット２０を入れ込みノブボルト１３を使用してスライド支柱カバー５を任意の高さ位置で上下させ固定させることができ、さらに前側の溝に通線孔１２から電源等のコードを入れ込みモール４で隠すことも可能である。【００１４】  図２は本考案のホルダーケース７の構造を示した背面斜視図である。ホルダーケース７は盤状ケース８と背面フタ９からなり、該盤状ケース８は上下左右の各側面スリット部よりコ字型に曲げた挟持アーム１０を突出させ、タブレットＰＣ背面に盤状ケース８を添設させる形状でタブレットＰＣのサイズに合わせて挟み込みしっかりと保持固定させる。この時、盤状面にはタブレットＰＣにキズを付けない様四隅にクッション材を貼着させると良い。また、前記コ字型に曲げた挟持アーム１０は長穴加工を施した不等辺形状とし、該長穴を利用して盤状ケース８内で前記挟持アーム１０を自在にスライド移動させタブレットＰＣのサイズに合わせてボルトネジ１４で固定させる。さらにタブレットＰＣ本体の側面仕様によりコネクター等の接続口が前記コ字型金具の底面で塞がれない様各々長円形の開口を開けると良い。さらに背面フタ９には鍵１１を装着させる事により盗難防止になるだけでなくタブレットＰＣを盤状ケース８に狭持固定した状態のまま鍵１１をはずせば着脱可能となり、又逆に盤状ケース８をスタンドから外した形態でタブレットＰＣを狭持できるため、直接スタンドに取付けるより落下等の心配がなくなり安全である。【００１５】  図３は本考案の回転傾斜金具６の構造を示す正面斜視図である。コ字型に曲げた金具の立上げ面に左右対称に円弧状の傾斜ガイド穴１５と支点穴１６を施し底面センターには回転の軸となる貫通穴を設ける。また、ハット型に折り曲げた金具底面センターに貫通穴と熔接ナット１７を施し両側ツバ部��にはホルダーケース７への接続用の貫通穴を設ける。さらに上記コ字型金具と上記ハット型金具の両底面を合わせスラストワッシャーを挟んでボルトで接続する。これにより該回転傾斜金具６と前記ホルダーケース７を接続固定し、さらにスライド支柱カバー５へ外設接続すれば回転と傾斜を自在に動作させることが可能となる。また、回転させた時に接続用ボルトが緩まない様に上記熔接ナット１７の上にダブルナットを施し、傾斜させる時には傾斜角度を自在に調整しやすい様に蝶ネジを使用すると良い。【００１６】  図４は、本考案のスライド支柱カバー５の背面斜視図である。スライド支柱カバー５はアルミフレーム支柱３外形をひと回り大きくした同じ形状の筒型で、両側面には下方から上方端部に向かってスリット１８状の切り欠きを設け側面の上部分には回転傾斜金具６への傾斜ガイド穴１５と支点穴１６の接続用貫通孔と内部裏側に熔接ナットを施す。又、上部端面には、エンドキャップ１９を接続固定し正面側にはケーブル用通線孔１１、裏面側には高さ調整用のノブボルト１２固定穴を施す。これにより、該スライド支柱カバーを前記アルミフレーム支柱３に外嵌しノブボルト１３を使い予め入れ込んでおいたスライドナット２０に固定すれば任意の高さ位置で固定でき、前面の通線孔１２にケーブルを通してモール４で塞げば見た目もスッキリとし見栄えが良くなる。
【産業上の利用可能性】
【００１７】  本考案のタブレットＰＣ用フロアスタンドの自在に挟持できるホルダーケース構造を用いればタブレットＰＣだけでなく薄型モニターＴＶ用のスタンドにも応用でき、さらにはＴＶを取付ける壁面用の金具にも応用可能で様々な可能性がある。
【符号の説明】
【００１８】１    台座ベース部
２    キャスター
３    アルミフレーム支柱
４    モール
５    スライド支柱カバー
６    回転傾斜金具
７    ホルダーケース
８    盤状ケース
９    背面フタ
１０  挟持アーム
１１  鍵
１２  通線孔
１３  ノブボルト
１４  ボルトネジ
１５  傾斜ガイド穴
１６  支点穴
１７  熔接ナット
１８  スリット
１９  エンドキャップ
２０  スライドナット
【図１】
0003196455.tif 000003
【図２】
0003196455.tif 000004
【図３】
0003196455.tif 000005
【図４】
0003196455.tif 000006